(57)【特許請求の範囲】
【請求項１】
光情報を伝送するリソースと光クロス・コネクト装置を含み、前記光クロス・コネクト装置のスイッチングにより入力された光情報が選択的にリソースに出力されて送受信端間の通信パスが設定される通信ネットワークにおける障害リソース推定方法において、
受信端において得られた障害パス情報と通信ネットワーク内の各リソースが収容しているパスの情報を利用して、少なくとも障害パス情報が得られたパスを含む各リソースについて、全収容パス数に対する収容障害パス数の比率を計算し、この比率が予め設定された第１の閾値以上のとき、当該リソースを障害リソースと推定する障害リソース推定方法。
【請求項２】
光情報を伝送するリソースと光クロス・コネクト装置を含み、前記光クロス・コネクト装置のスイッチングにより入力された光情報が選択的にリソースに出力されて送受信端間の通信パスが設定される通信ネットワークにおける障害リソース推定方法において、
受信端において得られる障害パス情報と通信ネットワーク内の各リソースが収容しているパスの情報を利用して、少なくとも障害パス情報が得られたパスを含む各リソースについて、全障害パス数に対する収容障害パス数の比率を計算し、この比率が予め設定された第２の閾値以上のとき、当該リソースを障害リソースと推定する障害リソース推定方法。
【請求項３】
光情報を伝送するリソースと光クロス・コネクト装置を含み、前記光クロス・コネクト装置のスイッチングにより入力された光情報が選択的にリソースに出力された送受信端間の通信パスが設定される通信ネットワークにおける障害リソース推定方法において、
受信端において得られる障害パス情報と通信ネットワーク内の各リソースが収容しているパスの情報を利用して、少なくとも障害パス情報が得られたパスを含む各リソースについて、全収容パス数に対する収容障害パス数の比率を計算し、この比率が予め設定された第１の閾値以上のリソースを障害リソースと推定し、さらに、各リソースについて全障害パス数に対する収容障害パス数の比率を計算し、この比率が予め設定された第２の閾値以上のリソースを障害リソースと推定する障害リソース推定方法。
【発明の詳細な説明】
【０００１】
【発明の属する技術分野】
本発明は、障害リソース推定方法に関し、特に、全光通信ネットワークのように、通信パスの途中に光−電気変換部を設ける部分がなく、通信パスの品質監視を受信端でしか行えない通信ネットワークにおいても障害リソースを推定することができる障害リソース推定方法に関する。
【０００２】
【従来の技術】
通信ネットワークにおいて通信パスの品質劣化などの障害が発生したとき、その障害に対して迅速に対策を講じ通信を確保するために、その障害の原因を迅速に特定することが要求される。従来、光通信ネットワークにおける通信パスの品質監視は、通信パスの途中、例えば中継ノードに光−電気変換部を設け、その電気的出力を監視することにより行われており、ある中継ノードに設けられた光−電気変換部の電気的出力の低下などにより通信パスの品質劣化が検知された場合、その劣化の要因は前段の中継ノードから当該中継ノードに至るまでのリソースが障害リソースであると特定されている。
【０００３】
【発明が解決しようとする課題】
上述のような従来の障害リソース特定方法は、通信パスの途中に光−電気変換部を設ける必要があるが、全光通信ネットワークのように通信パスの途中に光−電気変換部を設ける部分がない通信ネットワークにおいては、そのような方法を採用することができない。通信パスの品質監視を受信端で行うことも考えられるが、そのようにした場合には、通信パスが使用しているリソースの内のどのリソースが障害になって通信パスの品質劣化を引き起こしたのかを特定することが困難であり、特に、通信パスが長距離の場合にはその通信パスは多くのリソースを含むため障害リソースを特定することが困難である。
【０００４】
本発明は、全光ネットワークのように、通信パスの途中に光−電気変換部を設ける部分がなく、通信パスの受信端でしか通信パスの品質監視を行えない通信ネットワークにおいても障害リソースを推定することができる障害リソース推定方法を提供することを目的とするものである。
【０００５】
【課題を解決するための手段】
上記課題を解決するため、本発明は、受信端において得られた障害パス情報と通信ネットワーク内の各リソースが収容しているパスの情報を利用して、少なくとも障害パス情報が得られたパスを含む各リソースについて、全収容パス数に対する収容障害パス数の比率を計算し、この比率が予め設定された第１の閾値以上のとき、当該リソースを障害リソースと推定する点に第１の特徴がある。
【０００６】
また、本発明は、受信端において得られる障害パス情報と通信ネットワーク内の各リソースが収容しているパスの情報を利用して、少なくとも障害パス情報が得られたパスを含む各リソースについて、全障害パス数に対する収容障害パス数の比率を計算し、この比率が予め設定された第２の閾値以上のとき、当該リソースを障害リソースと推定する点に第２の特徴がある。
【０００７】
さらに、本発明は、受信端において得られる障害パス情報と通信ネットワーク内の各リソースが収容しているパスの情報を利用して、少なくとも障害パス情報が得られたパスを含む各リソースについて、全収容パス数に対する収容障害パス数の比率を計算し、この比率が予め設定された第１の閾値以上のリソースを障害リソースと推定し、さらに、各リソースについて全障害パス数に対する収容障害パス数の比率を計算し、この比率が予め設定された第２の閾値以上のリソースを障害リソースと推定する点に第３の特徴がある。
【０００８】
第１の特徴によれば、全光通信ネットワークのように、通信パスの途中に光−電気変換部がなく、通信パスの品質監視を受信端でしか行えない通信ネットワークにおいても障害リソースを推定することができ、特に全収容パス数に対する収容障害パス数の比率に基づいて通信パスの品質劣化を判断するようにしているため、障害の程度が大きいリソースを障害リソースと推定することができる。
【０００９】
また、第２の特徴によれば、全障害パス数に対する収容障害パス数の比率に基づいて通信パスの品質劣化を判断するようにしているため、複数のリソースに分散して障害パスが発生しているような場合に、特に集中して多数の障害パスが発生しており、ネットワーク全体から見て通信への影響が比較的大きいリソースを障害リソースと推定することができる。
【００１０】
さらに、第３の特徴によれば、全収容パス数に対する収容障害パス数の比率と全障害パス数に対する収容障害パス数の比率の両者に基づいて通信パスの品質劣化を判断するようにしているため、障害の程度が大きいリソースと集中して多数の障害パスが発生しており、ネットワーク全体から見て通信への影響が比較的大きいリソースの両者を障害リソースと推定することができる。
【００１１】
【発明の実施の形態】
以下、本発明の実施の形態を図面を参照して詳細に説明する。図１は、本発明が適用された全光通信ネットワークの一構成例を示す構成図である。この全光通信ネットワークは、波長多重された光情報を伝送する光ファイバなどのリソース１−１〜１−８と光クロス・コネクト装置（以下、コネクト装置と記す）Ａ〜Ｅを含み、送受信端２−１〜２−４は、このネットワークを利用して光情報を送受信する。また、このネットワークにおける障害リソースを推定するためにリソース・障害管理装置３が設けられている。
【００１２】
送受信端２−１〜２−４は、光−電気変換器を含んで構成され、例えばユーザ端末などに接続されてユーザ端末からの電気信号を光情報に変換してコネクト装置Ａ〜Ｄへと送出し、コネクト装置Ａ〜Ｄからの光情報を電気信号に変換してユーザ端末へと送出する。また、送受信端２−１〜２−４は、それぞれ品質監視装置２−１−１〜２−４−１を含んでいる。コネクト装置Ａ〜Ｅは、スイッチングにより入力された光情報を選択的にリソース１−１〜１−８に出力させ、送受信端間の通信パスを設定する。
【００１３】
なお、品質監視装置は、特に受信の機能を有する端部に設けられるものであり、上記実施形態では送受信端部Ａ〜Ｄ全てが受信の機能を有するものと仮定したため、それら端部の全てに品質監視装置が設けられているが、送信の機能のみを持つ端部がある場合には、その端部の品質監視装置は不要である。また、コネクト装置Ａ〜Ｅをスイッチングし、通信パスを設定するための管理装置も必要であるが、この管理装置を特別に設ける必要はなく、その機能をリソース・障害管理装置３に持たせるようにすることができる。
【００１４】
各送受信端２−１〜２−４に設けられた品質監視装置２−１−１〜２−４−１は、光−電気変換器を通して受信される電気的信号により通信パスの品質を監視しており、品質劣化が検出されると、それを障害パス情報としてリソース・障害管理装置３へ通知する。
【００１５】
図１では、３つの通信パス、すなわち、送受信端２−１〜コネクト装置Ａ〜リソース１−１〜コネクト装置Ｄ〜送受信端２−２、送受信端２−１〜コネクト装置Ａ〜リソース１−４〜コネクト装置Ｂ〜リソース１−３〜コネクト装置Ｃ〜リソース１−２〜コネクト装置Ｄ〜送受信端２−２および送受信端２−４〜コネクト装置Ｂ〜リソース１−３〜コネクト装置Ｃ〜送受信端２−３の通信パスを実線で示しているが、実際上は、コネクト装置Ａ〜Ｅの各々にはより多くのリソースが付随しており、コネクト装置Ａ〜Ｅ間の各リソースにはより多くの通信パスが設定されている。この状態において、例えば、図示のように、リソース１−３で障害が生じると、送受信端２−２の品質監視装置２−２−１は、送受信端２−１〜コネクト装置Ａ〜リソース１−４〜コネクト装置Ｂ〜リソース１−３〜コネクト装置Ｃ〜リソース１−２〜コネクト装置Ｄ〜送受信端２−２の通信パスの品質劣化を検出し、送受信端２−３の品質監視装置２−３−１は、送受信端２−４〜コネクト装置Ｂ〜リソース１−３〜コネクト装置Ｃ〜送受信端２−３の通信パスの品質劣化を検出し、それぞれ障害パス情報をリソース・障害管理装置３へ通知する。
【００１６】
リソース・障害管理装置３は、この通知された障害パス情報と内部のリソース管理データベースに格納しているリソース管理情報とを利用して障害リソースを特定する。ここでリソース管理情報は、各リソースが収容している通信パスの情報、例えばパスの識別子（パス番号など）を含んでいる。この情報は、コネクト装置Ａ〜Ｅのスイッチングによる通信パスの設定に伴ってリソース管理データベースに格納される。
【００１７】
図２は、本発明の第１の実施形態を示すフローチャートであり、リソース・障害管理装置３における処理内容を示している。リソース・障害管理装置３は、品質管理装置２−１〜２−４の内の少なくとも１つから障害パス情報が通知されると、この障害パス情報とリソース管理情報とを利用して、まず、各リソース１−１〜１−８について全収容パス数に対する収容障害パス数の比率を計算する（Ｓ−１）。なお、この計算は各リソース全てについて行う必要はなく、少なくとも障害パス情報が得られたパスを含む各リソース、図１の場合にはリソース１−２、１−３、１−４それぞれについて行えばよい。次に、この計算された比率を第１の閾値と比較し、閾値以上のリソースを障害リソースと推定して（Ｓ−２）処理を終了する。ここで、第１の閾値には、例えば８０〜９０％程度の値が用いられる。
【００１８】
上記Ｓ−１およびＳ−２の処理は、各リソースについて、リソースが収容しているパスの一定比率以上のものが障害であるか否かを検出する処理であり、通常のリソース障害ではリソースが収容している全てのパスが障害になることが多いが、何らかの原因で障害にならない、あるいは障害として検出されないパスが存在することもあり得ることを考慮してここではリソースが収容しているパスの一定比率以上のものが障害になっているか否かで当該リソースが障害リソースであるか否かを検出するようにしている。
【００１９】
なお、図１では簡単化のために、リソース１−２や１−４には１本のパスのみを図示しているが、前述のように実際上は、リソース１−２や１−４にはリソース１−３を通らない多くのパスが存在し、したがって、リソース１−３に障害が発生した場合、リソース１−３についての全収容パス数に対する収容障害パス数の比率は、リソース１−２や１−４についての全収容パス数に対する収容障害パス数の比率より通常大きい値になる。
【００２０】
上記Ｓ−１の処理における全収容パス数に代えて全障害パス数を用いても障害リソースを推定することもできる。図３は、このようにした本発明の第２の実施形態を示すフローチャートであり、リソース・管理装置３は、品質管理装置からの障害パス情報とリソース管理情報とを利用して、各リソースについて全障害パス数に対する収容障害パス数の比率を計算する（Ｓ′−１）。なお、この計算も全ての各リソースについて行う必要はなく、少なくとも障害パス情報が得られたパスを含む各リソースそれぞれについて行えばよい。次に、この計算された比率を第２の閾値と比較し、閾値以上のリソースを障害リソースと推定して（Ｓ′−２）処理を終了する。ここで、第２の閾値には、例えば７０〜８０％程度の値が用いられる。
【００２１】
上記Ｓ′−１およびＳ′−２の処理は、各リソースについて、リソース・障害管理装置に通知された全障害パスのうちの一定比率以上のものが当該リソースにおける障害パスであるか否かを検出する処理であり、この処理によれば複数のリソースに分散して障害パスが発生しているような場合に、特に集中して多数の障害パスが発生しており、ネットワーク全体から見て通信への影響が比較的大きいリソースを障害リソースと推定することができる。
【００２２】
また、図２と図３の処理を組み合わせることにより障害リソースを推定することもできる。図４は、このようにした本発明の第３の実施形態を示すフローチャートであり、リソース・管理装置３は、各リソースについて全収容パス数に対する収容障害パス数の比率が第１の閾値以上あるいは全障害パス数に対する収容障害パス数の比率が第２の閾値以上のいずれかが満たされたとき当該リソースを障害リソースと推定する。
【００２３】
本発明においては、通信ネットワークにおける通信パスの品質劣化を送受信端２−１〜２−４に設けた品質監視装置２−１−１〜２−４−１で常時監視しており、それにより通信パスの品質劣化が検知されるとその旨が直ちにリソース・障害管理装置３に通知されるため、その品質劣化の元となったリソースの障害を迅速に特定することでき、その障害に対して迅速に対策を講じ通信を確保することができるようになる。
【００２４】
【発明の効果】
以上の説明から明らかなように、請求項１の発明によれば、全光通信ネットワークのように、通信パスの途中に光−電気変換部がなく、通信パスの品質監視を受信端でしか行えない通信ネットワークにおいても障害リソースを推定することができ、特に障害の程度が大きいリソースを障害リソースと推定することができる。また、請求項２の発明によれば、複数のリソースに分散して障害パスが発生しているような場合に、特に集中して多数の障害パスが発生しており、ネットワーク全体から見て通信への影響が比較的大きいリソースを障害リソースと推定することができる。さらに、請求項３の発明によれば、障害の程度が大きいリソースと集中して多数の障害パスが発生しており、ネットワーク全体から見て通信への影響が比較的大きいリソースとの両者を障害リソースと推定することができる。
【図面の簡単な説明】
【図１】  本発明が適用された全光通信ネットワークの一構成例を示す構成図である。
【図２】  本発明の第１の実施形態を示すフローチャートである。
【図３】  本発明の第２の実施形態を示すフローチャートである。
【図４】  本発明の第３の実施形態を示すフローチャートである。
【符号の説明】
１−１〜１−８・・・リソース、２−１〜２−４・・・送受信端、２−１−１〜２−４−１・・・品質監視装置、３・・・リソース・障害管理装置
【図１】
0003885931.tif 000002
【図２】
0003885931.tif 000003
【図３】
0003885931.tif 000004
【図４】
0003885931.tif 000005